(57)【要約】【課題】洋風便器前方の床面を効率よく照明することができる照明付き便器設備を提供する。【解決手段】便蓋８の前縁部が便蓋７の前縁部よりも前方に延出し、この便蓋８の前縁部に発光ユニット１０が設けられている。この発光ユニット１０には床照明用のＬＥＤ１２と後方照明用のＬＥＤ１３とが設けられている。トイレルームへの入室が検知されると、ＬＥＤ１２が点灯する。それから所定時間遅れて便蓋８が開く。【選択図】  図１
2004261221.tif 000002
【特許請求の範囲】
【請求項１】
洋風便器の上面に便座及び便蓋が設けられた便器設備において、
該便座又は便蓋の前端部を該洋風便器の上部前縁よりも前方に延出させ、この前端部に、該洋風便器の前方の床面に光を照射する床照明用発光器を設けたことを特徴とする照明付き便器設備。
【請求項２】
請求項１において、該便蓋の前縁部が該便座及び洋風便器の前縁よりも前方に延出しており、該床照明用発光器が該便蓋の前縁部に設けられていることを特徴とする照明付き便器設備。
【請求項３】
請求項２において、該便蓋が起立した状態において該便蓋の前縁部から後方に向って光を照射する後方照明用発光器を設けたことを特徴とする照明付き便器設備。
【請求項４】
請求項３において、該便蓋が倒状状態にあるときには床照明用発光器を点灯させ、該便蓋が起立状態にあるときには後方照明用発光器を点灯させることを特徴とする照明付き便器設備。
【請求項５】
請求項２ないし４のいずれか１項において、トイレルームへの入室者を検知する人体検知センサと、
該人体検知センサの人体検知に応じて該床照明用発光器を発光させる手段と、
該人体検知センサの人体検知後、所定時間遅れて該便蓋を起立させる便蓋回動装置と
を備えたことを特徴とする照明付き便器設備。
【請求項６】
請求項１において、該便座の前縁部が該洋風便器の上部前縁よりも前方に延出しており、該便座の前縁部に該床照明用発光器が設けられていることを特徴とする照明付き便器設備。
【発明の詳細な説明】
【０００１】
【発明の属する技術分野】
本発明は、洋風便器の前方の床面を照明する発光器を有した照明付き便器設備に関するものである。
【０００２】
【従来の技術】
洋風便器前方の床面の照明設備として、特開平８−２８４２３２号公報の第００１６段落及び図１には、便座ボックスの袖部の前面側に、洋風便器の正面手前側の床面を照明する照明器具を設けることが記載されている。また、特開２００１−６５０３２号の第００６３〜００６８段落及び図８，９には、トイレルームの壁面に設けられた棚やリモコンの下面にＬＥＤを設け、トイレ使用時の足元を照明することが記載されている。特開２００１−１２０４４８号の第００５４〜００５５段落及び図８には、洋風便器の前及び横の側面や便座及び便蓋に、ＬＥＤを埋設して発光させることが記載されている。
【０００３】
【特許文献１】
特開平８−２８４２３２号公報
【特許文献２】
特開２００１−６５０３２号公報
【特許文献３】
特開２００１−１２０４４８号公報
【０００４】
【発明が解決しようとする課題】
上記特開平８−２８４２３２号の照明器具は、便座ボックスの袖部に設けられていることから、照明光は洋風便器の脇を抜けるようにして前方に照射される。このため、洋風便器の正面前方の明るさが不足する。また、洋風便器のシルエットが洋風便器前方の床面に映るため、床面に置かれたスリッパがシルエットの影側に在ったときには見つけにくいことがある。
【０００５】
特開２００１−６５０３２号のように壁面の棚やリモコンの下面にＬＥＤを設けた場合、壁面近くの床面は明るくなるが、洋風便器前方の床面の明るさが不足する。棚やリモコンのＬＥＤの数を多くすれば、洋風便器近傍の明るさも増大するが、コスト高であると共に、眩しくなるおそれもある。
【０００６】
特開２００１−１２０４４８号のように洋風便器の側面にＬＥＤを埋め込むことは、洋風便器が陶器製であることから、かなりコスト高のものとなる。なお、同号には便座及び便蓋にＬＥＤを提供することも記載されているが、この場合の便座及び便蓋は洋風便器上面からは張り出しておらず、ＬＥＤからの光は上方や洋風便器の側方に散ってしまい、洋風便器近傍の床面はそれほど明るくならない。
【０００７】
本発明は、上記従来技術の問題点を解決し、洋風便器前方の床面を効率よく照明することができる照明付き便器設備を提供することを目的とする。
【０００８】
【課題を解決するための手段】
本発明の照明付き便器設備は、洋風便器の上面に便座及び便蓋が設けられた便器設備において、該便座又は便蓋の前端部を該洋風便器の上部前縁よりも前方に延出させ、この前端部に、該洋風便器の前方の床面に光を照射する床照明用発光器を設けたことを特徴とする。
【０００９】
かかる本発明の照明付き便器設備によると、便座又は便蓋の前縁部に設けられた発光器により洋風便器前方の床面に照明光が照射されるので、この洋風便器前方の床面を局所的に照明することができる。本発明は、特に夜間にトイレルーム全体の室内照明を点灯することなく入室し、ほのかな明りの元で用便する場合にきわめて好適である。このようにほのかな明りでトイレルームを使用すると、眩しくなく、また身体の細胞活動が光によって活発化することもないので、用便後にすみやかに再就寝することができる。
【００１０】
なお、本発明では、洋風便器前方に対し上方から光が照射されるので、洋風便器前方に大きなシルエットが生じることがなく、スリッパ等を見つけ易い。
【００１１】
本発明では、発光器を便座又は便蓋に設けるのであるが、この便座、便蓋は通常、合成樹脂製であり、発光器を組み込むように製作することが容易である。
【００１２】
本発明の一態様では、便蓋の前縁部が該便座及び洋風便器の前縁よりも前方に延出しており、該床照明用発光器が該便蓋の前縁部に設けられている。便蓋は、通常は単板状であり、便座よりも構成が簡易であるので、前縁部を延出させるように長くしても製造コストアップは僅かで済む。また、便蓋の前縁部を延出した場合、手動式の便蓋にあっては、指先を前縁部に掛けて引き上げ易い。
【００１３】
便蓋前縁部に発光器を設ける場合、便蓋が起立した状態において該便蓋の前縁部から後方に向って光を照射する後方照明用発光器を設けてもよい。このようにすれば、起立した便蓋上部から後方に照射された光により、手洗器付近や洋風便器後方の壁面を照明することができる。これにより、手洗器を使用し易くしたり、間接照明の効果を得たりすることができる。また、便蓋が起立した状態においては床照明用発光器は光を照射せず、便蓋が倒状した状態においては後方照明用発光器は光を照射しないように構成すれば、直接には照明が身体に照射されないようになる。従って、眩しくなく、また身体の細胞活動が活発化することもないため、用便後にすみやかに再就寝することができる。
【００１４】
便蓋を人体検知に基づいて自動開閉させる便蓋自動開閉機構を有した洋風便器設備に本発明を適用する場合には、人体検知後、便蓋が開くまでのタイミングを所定時間遅延させることが好ましい。このようにすることにより、例えば、トイレルームに入室し、スリッパ等を履いてから洋風便器に近づくまでの間、洋風便器前方の床面を発光器で照明しておくことができる。
【００１５】
本発明の別の一態様においては、便座の前縁部が該洋風便器の上部前縁よりも前方に延出しており、該便座の前縁部に該床照明用発光器が設けられている。
【００１６】
この便座は、通常の場合、暖房ヒータが設けられ、そのための配線が引き回されているので、便座前縁部に設けられた発光器のための配線の引き回しが容易である。
【００１７】
【発明の実施の形態】
以下、図面を参照して実施の形態について説明する。図１は実施の形態に係る洋風便器設備を示す斜視図であり、（ａ）図は便蓋閉、（ｂ）図は便蓋開の状態を示している。図２は図１のＩＩ−ＩＩ線断面図、図３は別の実施の形態を示す斜視図である。
【００１８】
トイレルームの床面Ｆ上に陶器製の洋風便器１が設置されており、その後部上面にタンクカバー２が設置されている。このタンクカバー２内には、便器洗浄水を貯留しておくためのロータンクや、人体臀部を温水で洗浄するための温水洗浄装置などが設けられている。この温水洗浄装置は、前方に向って伸出す洗浄ノズル３を備えている。タンクカバー２の側面には、ロータンクの水を放出させるためのフラッシュハンドル４が設けられている。タンクカバー２の上部には手洗器５が設置され、この手洗器５の奥側上面に手洗吐水管６が立設されている。
【００１９】
タンクカバー２の前面下部に便座７と便蓋８とが上下方向回動可能に取り付けられている。この実施の形態では、便蓋８は自動開閉方式のものであり、タンクカバー２にはそのための人体検知センサと、回動装置とが設けられている（いずれも図示略）。
【００２０】
この便蓋８の前縁部は便座７の前縁及び洋風便器１の上面前縁よりも前方に延出している。この便蓋８の前縁部に発光ユニット１０が設けられている。この発光ユニット１０は、基板１１と、該基板１１の下面側（便蓋８が倒伏した状態における下面側。以下、同様。）に設けられた床面照明用のＬＥＤ１２と、基板１１の上面側に設けられた手洗器照明用のＬＥＤ１３と、これら基板１１及びＬＥＤ１２，１３が埋設されている透光性の樹脂モールド１４とを備えている。この発光ユニット１０は、便蓋８の前縁部に設けられた開口８ａに嵌合して該便蓋８に固着されている。
【００２１】
このように構成された洋風便器設備を有するトイレルームの天井には、このトイレルームの全体を照明するための室内照明器具（白熱灯や蛍光灯など）が設けられている。
【００２２】
このトイレルームに人が入室してくると、タンクカバー２に設けられた人体検知センサにより検知され、図１（ａ）のようにＬＥＤ１２が点灯し、洋風便器１の前方の床面Ｆが所定広さにわたって照明される。従って、夜間に室内照明器具が消灯していても、床面やスリッパを視認することができる。
【００２３】
この入室後、所定時間（例えば、３〜５秒。この時間は長短調節可能となっている。）が経過すると、便蓋８が自動的に開放（起立）する。
【００２４】
便蓋８が起立すると、ＬＥＤ１２が消灯し、代わりにＬＥＤ１３が点灯し、手洗器５の上面付近が照明される。人体が立ち去るとＬＥＤ１３が消灯し、所要時間経過後、便蓋８が閉まる（倒伏する）。
【００２５】
このように、この実施の形態によると、トイレルームに入室した場合に洋風便器１の前方の床面Ｆが照明されるので、洋風便器１にアプローチし易い。この場合、発光ユニット１０からの光が洋風便器１の前方に殆どシルエットを生じさせないので、床面Ｆの被視認性が良好であり、スリッパ等も見つけ易い。
【００２６】
また、トイレルームに入室した後、しばらくは便蓋８が閉まったままであり、この間ＬＥＤ１２によって床面Ｆが照明されているので、スリッパを履いたりするのに時間的余裕が十分にある。
【００２７】
便蓋８が起立した後は、手洗器５付近が照明されるので、手洗いが容易である。また、手洗器５やその後方の壁に当った光が反射してトイレルーム室内が間接照明されるので、洋風便器１の使用も容易である。便蓋８が起立した後はＬＥＤ１２が消灯しているので、眩しくない。
【００２８】
なお、昼間や、室内照明器具が点灯した場合には、ＬＥＤ１２及び１３を点灯させないようにしてもよい。トイレルームに入室した直後に便蓋８を開放させるようにしてもよい。
【００２９】
上記実施の形態はタンクカバー２を備えた洋風便器設備に関するものであるが、タンクカバーの代わりに便座ボックスを用いたタイプ等の洋風便器設備にも本発明を適用できる。図３はその一例を示すものであり、便座ボックス２０に回動可能に便座２１及び便蓋２２が取り付けられている。この便蓋２２の前縁部に発光ユニット１０が設けられている。
【００３０】
図示の実施の形態では、いずれも発光ユニット１０を左右に振り分けて２個設けているが、発光ユニットの数や位置は図示のものに限定されない。
【００３１】
本発明では、床照明専用の発光器（例えばＬＥＤ１２）と、後方照明専用の発光器（例えばＬＥＤ１３）とを別個の箇所に設けてもよい。例えば、便蓋の左側には床照明用発光器を設け、右側には後方照明用発光器を設けてもよい。
【００３２】
本発明では、手洗器が省略されてもよい。
【００３３】
本発明では、前記特開２００１−１２０４４８号のようにフラッシュハンドル付近やペーパーホルダ等にＬＥＤを設けてもよい。本発明ではタンクカバーにも床面照明用ＬＥＤ等を設けてもよい。
【００３４】
【発明の効果】
以上の通り、本発明によると、洋風便器前方の床面を効率よく照明することができる照明付き便器設備が提供される。
【図面の簡単な説明】
【図１】実施の形態に係る洋風便器設備を示す斜視図である。
【図２】図１のＩＩ−ＩＩ線断面図である。
【図３】別の実施の形態を示す斜視図である。
【符号の説明】
１  洋風便器
２  タンクカバー
７  便座
８  便蓋
１０  発光ユニット
１１  基板
１２，１３  ＬＥＤ
２０  便座ボックス
２１  便座
２２  便蓋
【図１】
2004261221.tif 000003
【図２】
2004261221.tif 000004
【図３】
2004261221.tif 000005